(57)【要約】【課題】画風の異なる絵画画像を含むスライドショーにおいて、一定時間間隔で順次画風の異なる絵画画像の表示を行う画像表示制御装置を提供することを目的とする。【解決手段】画像表示制御装置であって、第１の画風の絵画調画像への変換指示を含む第１の画像データと、第２の画風の絵画調画像への変換指示を含む第２の画像データとを少なくとも記憶する記憶部と、上記変換指示に従って、専用の第１の展開バッファを使用して、上記第１の画像データを第１の画風の絵画画像に変換し、専用の第２の展開バッファを使用して、上記第２の画像データを第２の画風の絵画画像に変換する画像変換処理部と、上記第１、第２の画風の絵画画像を、表示部に一定時間間隔で順次表示する表示制御部と、を有することを特徴とする。【選択図】  図１
2014021292.tif 000002
【特許請求の範囲】
【請求項１】
第１の画風の絵画調画像への変換指示を含む第１の画像データと、前記第１の画風とは異なる第２の画風の絵画調画像への変換指示を含む第２の画像データとが少なくとも記憶された記憶部と、
前記変換指示に従って、専用の第１の展開バッファを使用して、前記第１の画像データを前記第１の画風の絵画画像に変換し、専用の第２の展開バッファを使用して、前記第２の画像データを前記第２の画風の絵画画像に変換する画像変換処理部と、
前記第１、第２の画風の絵画画像を、表示部に一定時間間隔で順次表示する表示制御部と、
を有することを特徴とする画像表示制御装置。
【請求項２】
前記表示部に一定時間間隔で順次表示される前記絵画画像の印刷指定が行われると、該指定された絵画画像の印刷処理を行うことを特徴とする請求項１に記載の画像表示制御装置。
【請求項３】
前記第１の画風の絵画調画像は色鉛筆絵画調画像、又はパステル絵画調画像であり、前記第２の画風の絵画調画像は水彩絵画調画像、又は油絵絵画調画像であることを特徴とする請求項１、又は２に記載の画像表示制御装置。
【請求項４】
前記記憶部には前記第１、第２の画風の絵画調画像への変更指示を含まない画像データも記憶され、前記変更指示を含まない画像データは前記専用の第１、第２の展開バッファと異なる展開バッファを使用して展開され、前記第１、第２の画風の絵画画像と共に、前記表示部に一定時間間隔で表示されることを特徴とする請求項１、２、又は３に記載の画像表示制御装置。
【請求項５】
前記第１の画像には前記第１の画風の絵画調画像への変換指示が一部に行われており、前記第２の画像には前記第２の画風の絵画調画像への変換指示が一部に行われていることを特徴とする請求項１、２、３、又は４に記載の画像表示制御装置。
【請求項６】
第１の画風の絵画調画像への変換指示を含む第１の画像データと、前記第１の画風とは異なる第２の画風の絵画調画像への変換指示を含む第２の画像データとを記憶部に記憶する処理と、
前記変換指示に従って、専用の第１の展開バッファを使用して前記第１の画像データを前記第１の画風の絵画画像に変換し、専用の第２の展開バッファを使用して、前記第２の画像データを前記第２の画風の絵画画像に変換する画像変換処理と、
前記第１、第２の画風の絵画画像を、表示部に一定時間間隔で順次表示する表示処理と、
を行なうことを特徴とする画像表示制御方法。
【発明の詳細な説明】
【技術分野】
【０００１】
本発明はデジタルカメラ等の撮像装置によって撮影した画像データに基づく画像を絵画画風に変換して一定時間間隔で表示する画像表示制御装置に関する。
【背景技術】
【０００２】
今日、デジタルカメラ等により記録された画像データに基づく写真画像を家庭で手軽に印刷できる家庭用フォトプリンタが広く使用されている。このようなフォトプリンタではデジタルカメラで撮影した画像データを記録したメモリカード等の可搬型記憶媒体から画像ファイルを読み込む。そして、フォトプリンタの表示装置にプリント指定情報の入力画面を表示し、表示された画面からプリントスタイルや印刷枚数等の指定を行い、指定された情報に基づいて印刷出力を行う。
【０００３】
このような印刷装置において、撮影した画像や印刷指定を行った画像を、所謂スライドショーによって確認する場合がある。特許文献１はネットワーク型プラグアンドプレイを利用して、ネットワーク上において、画像のスライドショー表示を行いながら画像の印刷を行う発明であり、印刷装置はクライアントからの印刷要求を受領したとき、印刷の実行を指示すると共にスライドショーの表示を続行し、指示された印刷処理が実行不可能な場合には印刷処理を印刷キューに登録する発明を開示する。
【先行技術文献】
【特許文献】
【０００４】
【特許文献１】特開２００７−０６５９０３号公報
【発明の概要】
【発明が解決しようとする課題】
【０００５】
しかしながら、スライドショーにおいて、絵画調の画像等のファイル内容の異なる画像を表示する場合、画像編集を全画素に対して行なうと表示に時間が掛かり、一定時間間隔の表示が不可能になる。特に、異なる画風の絵画調変換処理が連続する場合、表示に長時間を要する。また、スライドショーにおいて印刷画像を指示する場合にも、絵画調変換に時間を要し、迅速な印刷処理を行うことができない。
【０００６】
そこで、本発明はファイル内容の異なる画像を含むスライドショーにおいても一定時間間隔で表示を行い、印刷指示があった場合でも迅速な印刷処理を行うことができる画像表示制御装置を提供することを目的とする。
【課題を解決するための手段】
【０００７】
上記課題は本発明によれば、第１の画風の絵画調画像への変換指示を含む第１の画像データと、前記第１の画風とは異なる第２の画風の絵画調画像への変換指示を含む第２の画像データとが少なくとも記憶された記憶部と、前記変換指示に従って、専用の第１の展開バッファを使用して、前記第１の画像データを前記第１の画風の絵画画像に変換し、専用の第２の展開バッファを使用して、前記第２の画像データを前記第２の画風の絵画画像に変換する画像変換処理部と、前記第１、第２の画風の絵画画像を、表示部に一定時間間隔で順次表示する表示制御部と、を有する画像表示制御装置を提供することによって達成できる。
【発明の効果】
【０００８】
本発明はファイル内容の異なる画像、例えば画風の異なる絵画調画像を含む画像のスライドショーにおいても一定時間間隔で表示が可能であり、その際印刷指示があった場合でも迅速に画風の異なる絵画調画像の印刷処理を行うことが可能である。
【図面の簡単な説明】
【０００９】
【図１】本実施形態の画像表示制御装置の回路ブロック図である。
【図２】ＲＡＭのメモリ構成を示す図である。
【図３】本実施形態の基本処理を説明するフローチャートである。
【図４】スライドショー実行画像選択処理を説明するフローチャートである。
【図５】（ａ）は、ＲＡＭに記憶されるJPEG画像ファイルの概念図であり、（ｂ）は、JPEG番号に従って画像一覧処理を行なった場合の概念図である。
【図６】スライドショーの画像選択や画風選択を行う際のサムネイル表示の一覧画面を示す図である。
【図７】高速連写や合成連写のグループ画像の絵画調変換を行う際の開始画像位置と終了画像位置を設定する処理を説明するフローチャートである。
【図８】絵画フラグ別選択リストの作成処理を説明するフローチャートである。
【図９】絵画フラグ別選択リストの概念図である。
【図１０】スライドショーの際の画像表示処理を説明するフローチャートである。
【図１１】絵画展開専用バッファの構成を説明する図である。
【図１２】画像の任意の一部を絵画調に変換する処理を説明するフローチャートである。
【発明を実施するための形態】
【００１０】
以下、本発明の実施の形態を図面に基づいて説明する。
図１は、本実施形態の画像表示制御装置の回路ブロック図である。同図において、本例の画像表示制御装置１は、ＣＰＵ２、ＲＯＭ３、ＲＡＭ４、キー・ペン入力部５、カードデータ読込部６、カラー表示部７、及びプリンタ部８で構成されている。
ＣＰＵ２はＲＯＭ３に記憶されたプログラムを読み出し、本例の画像表示制御装置１の制御を行う。また、ＲＯＭ３は原画像に対して、後述する水彩、油彩、色鉛筆、パステル等への画風の異なる画像を生成する為のプログラムも記憶している。尚、ＲＡＭ４には後述するバッファやメモリ領域が設定され、ワークエリアとしてＣＰＵ２の制御に使用される。
【００１１】
キー・ペン入力部５は、例えばキーボード及びペン入力で構成され、キー操作又はペン入力の操作信号をＣＰＵ２に送信し、ＣＰＵ２は上記プログラムに従って、上記操作信号が指示する処理を行う。
【００１２】
また、カードデータ読込部６はメモリカード等の可搬型記憶媒体に記憶された画像データの読み込み処理を行い、例えばデジタルカメラによって撮影した写真の画像データを大量に記憶する可搬型記憶媒体から写真画像データを本例の画像表示制御装置１に読み込む。
【００１３】
カラー表示部７はメモリカードから読み込んだ写真画像データのサムネイル表示を行ない、更にスライドショーにおいて、ユーザが選択した画像の表示処理を行なう。また、プリンタ部８はサーマルヘッド等で構成され、ユーザによって選択された画像データの印刷処理を行う。
【００１４】
図２は上記ＲＡＭ４のメモリ構成を説明する図であり、４Ａ〜４ＺＺの記憶エリアで構成されている。例えば、記憶エリア４Ａは可搬型記憶媒体からカードデータ読込部６によって読み込んだJPEG画像ファイルの格納バッファである。また、記憶エリア４Ｂも可搬型記憶媒体からカードデータ読込部６によって読み込んだサムネイル画像データを画像絵画変換して得た、絵画フォトサムネイル画像用の格納バッファである。
【００１５】
記憶エリア４Ｃは上記記憶エリア４Ａに格納したJPEG画像ファイルを、例えばＲＧＢの画像データに展開するバッファであり、また記憶エリア４Ｂに格納した絵画フォトサムネイル画像をＲＧＢの画像データに展開するバッファである。この記憶エリア４Ｃは、後述する水彩、油彩、色鉛筆、パステルの各画風に対応する４つの展開バッファ（後述する絵画展開専用バッファ「１」〜「４」）と、画風指示が行なわれていない画像データを展開する１つの展開バッファ（後述する通常展開バッファ）で構成されている。
記憶エリア４Ｄは、上記記憶エリア４Ｃに展開した画像データを、例えば印刷用にリサイズする際使用する画像印刷バッファである。
【００１６】
記憶エリア４Ｅの絵画プリント作成メニュー情報は、絵画変換写真の作成メニュー情報である。また、記憶エリア４Ｆのデジタルカメラ写真Exif情報検索メモリ（以下、写真Exif情報検索メモリで示す）は、上記カードデータ読込部６から読み込んだ画像データが高速連写画像や合成連写画像であるかを調査する等に使用するメモリである。
【００１７】
記憶エリア４Ｇの絵画効果メモリは、例えばスライドショーで変換される画風情報を格納するメモリである。また、記憶エリア４Ｈの写真連写グループ情報メモリは、高速連写画像や合成連写画像の写真連写グループの情報を記憶するメモリである。
【００１８】
記憶エリア４Ｉの写真連写シリアル番号メモリは、高速連写画像や合成連写画像に含まれる写真画像のシリアル番号を記憶するメモリである。また、記憶エリア４Ｊの写真連写作成種別メモリは、高速連写画像や合成連写画像の作成種類情報を記憶するメモリである。
【００１９】
記憶エリア４Ｋのfps情報メモリは、高速連写画像のfps（フレームレート）値を記憶するメモリである。また、記憶エリア４Ｌの絵画変換矩形印刷配置情報メモリは、画像データの一部を絵画調変換する際の位置を記憶するメモリである。
【００２０】
記憶エリア４Ｍの合成連写・高速連写JPEG写真選択リスト代表情報配列メモリは、合成連写及び高速連写JPG画像の中の代表画像を記憶するメモリである。また、記憶エリア４Ｎの合成連写・高速連写絵画変換ファイル名配列保存情報メモリは、上記グループ毎に絵画変換ファイル名を保存するメモリである。また、記憶エリア４Ｏの合成連写・高速連写グループ群連写枚数配列メモリは、上記グループの総画像枚数を記憶するメモリである。
【００２１】
記憶エリア４Ｐの絵画変換写真開始グループ内位置メモリは、合成連写や高速連写のグループ内の画像データの中で、絵画変換を開始する画像データを記憶するメモリである。また、記憶エリア４Ｑの絵画変換写真終了グループ内位置メモリは、合成連写や高速連写のグループ内の画像データの中で、絵画変換を終了する画像データを記憶するメモリである。
【００２２】
記憶エリア４Ｒの合成連写・高速連写JPEG選択番号メモリは、合成連写又は高速連写の選択番号を記憶するメモリである。また、記憶エリア４ＳのスライドショーJPEG写真選択リスト配列メモリは、スライドショーを行なう際の選択された写真リストの配列を記憶するメモリである。
【００２３】
記憶エリア４Ｔの絵画変換写真選択リスト配列メモリは、後述する処理によって選択された絵画変換写真画像のリスト配列を記憶するメモリである。また、記憶エリア４Ｕの写真選択リスト総数メモリは、合成連写印刷や高速連写印刷で可搬型記憶媒体内部に存在する写真総数を記憶するメモリである。
【００２４】
記憶エリア４Ｖの写真選択リスト番号メモリは、後述する処理によって選択された写真画像のリスト番号の配列を記憶するメモリである。また、記憶エリア４Ｗのキーペンバッファメモリは、前述のキー・ペン入力部５への操作情報に対応したコードを保持するメモリであり、記憶エリア４Ｘの液晶表示バッファメモリは、表示形式に変換されたカラーデータを保持するメモリであり、記憶エリア４Ｙの印刷枚数メモリは、合成連写印刷で印刷する枚数を記憶するメモリである。
【００２５】
記憶エリア４Ｚの印刷品位メモリは、高速連写印刷・合成連写印刷で印刷品位を保持するメモリであり、記憶エリア４ＺＺの印刷用紙タイプメモリは、高速連写印刷・合成連写印刷で印刷用紙情報を記憶するメモリである。
【００２６】
以上の構成において、以下に本例の処理動作を説明する。
図３に示すフローチャートは本例の基本処理動作を説明するフローチャートである。先ず、メモリカードに記憶された画像データをカードデータ読込部６によって読み出し、スライドショーに表示する画像とその表示種類を設定し、上記記憶エリア４ＳのスライドショーJPEG写真選択リスト配列メモリに書き込む（ステップ（以下、Ｓで示す）１）。
【００２７】
図４は上記処理を具体的に説明するフローチャートである。メモリカードから読み出されたJPEG画像ファイルは前述のＲＡＭ４の記憶エリア４Ａに記憶され、先ずこのJPEG画像ファイル名の取得処理を行う（Ｓ１−１）。図５（ａ）はＲＡＭ４の記憶エリア４Ａに記憶されるJPEG画像ファイルの概念図であり、例えば同図に示すようにＡ〜Ｃは合成連写画像データを含むファイルであり、Ｄは高速連写の画像データを含むファイルであり、jpgやJPGで示すファイルは撮影日時等の所定の条件に従って纏められた画像データを含むファイルである。
【００２８】
次に、画像一覧処理を行い（Ｓ１−２）、選択画像をスライドショーリストに保存する（Ｓ１−３）。図６はスライドショーに表示する画像を選択する為の画像一覧表示の例であり、前述のカラー表示部７に表示され、１２枚（縦３列×横４列）の画像データが順次表示される。上記一覧表示された画像の中で、ユーザによって選択された画像の画像データをスライドショーリストに保存する。尚、上記選択は、例えば図６に示すようにペンタブレットによって絵画アイコンを指定することによって行う。
【００２９】
次に、選択中の画像を絵画変換するか否かの判断を行なう（Ｓ１−４）。ここで、ユーザによる絵画変換の指示がある場合（Ｓ１−４がＹＥＳ）、画風メモリをスライドショーリストに保存する（Ｓ１−５）。また、上記指示も、例えばペンタブレットによって行う。
図５（ｂ）は上記処理によって、スライドショーリストに保存された画像データの一例である。例えば、CIMG0001.jpgの画像データの場合、スライドショーへの表示選択のみが行なわれた例を示し、CIMG0002.jpgの画像データの場合も、スライドショーへの表示選択のみが行なわれた例を示す。
【００３０】
一方、CIMG0003.jpgの画像データの場合、スライドショーへの表示選択と共に色鉛筆の絵画変換指示が行なわれ、対応するフラグが設定されている。また、CIMG0004.jpgの画像データについても、スライドショーへの表示選択と共に水彩の絵画変換の指示が行なわれ、対応するフラグが設定されている。さらに、CIMG0005.jpgの画像データについても、スライドショーへの表示選択と共に油彩の絵画変換の指示が行なわれ、対応するフラグが設定されている。以下、他の画像データについても、同図（ｂ）に示すように、スライドショーへの表示選択や指定された画風への絵画変換のフラグ設定が行われている。
上記処理は全ての画像データに対して行なわれ（Ｓ１−６がＮＯ、Ｓ１−１〜Ｓ１−６）、全ての画像データに対して上記処理が行なわれると（Ｓ１−６がＹＥＳ）、スライドショーの画像選択処理を終了する。
【００３１】
尚、上記絵画変換の指定が合成連写や高速連写のグループ画像内で行われる場合、図７に示すフローチャートに従った処理が行われる。
先ず、グループ画像一覧表示開始位置の選択を行う（ステップ（以下、Ｗで示す）１）。この処理は、先ず取消キーの入力を判断し（Ｗ２）、ここで取消キーの入力があれば（Ｗ２がＹＥＳ）、以後当該グループ画像において絵画変換処理を行うことなく、次のグループの処理に移行する。一方、取消キーの入力が行われることなく（Ｗ２がＮＯ）、実行キーの入力があると（Ｗ３がＹＥＳ）、絵画変換処理を開始する画像位置が決定する（Ｗ４）。尚、実行キーの入力も無い場合（Ｗ３がＮＯ）、上記と同様、次のグループの処理に移行する。
【００３２】
次に、グループ画像一覧表示終了位置の選択を行う（Ｗ５）。この処理も、先ず取消キーの入力を判断し（Ｗ６）、ここで取消キーの入力があれば（Ｗ６がＹＥＳ）、次のグループの処理に移行する。この場合、絵画変換の指定は、例えば開始した１枚の画像データのみの選択となる。
一方、取消キーの入力が行われることなく（Ｗ６がＮＯ）、実行キーの入力があると（Ｗ７がＹＥＳ）、絵画変換処理の終了位置が決定する（Ｗ８）。
【００３３】
次に、図３に示す絵画フラグ別選択リストの作成処理を行なう（Ｓ２）。図８はこの処理を具体的に説明するフローチャートである。先ず、スライドショー画像リストを画風分複製する（Ｓ２−１）。そして、絵画フラグに基づいてソートを実行し、対応する画風リストに移動する（Ｓ２−２）。その後、上記処理を全ての画像データに対して行ない（Ｓ２−３がＮＯ、Ｓ２−１〜Ｓ２−３）、全ての画像データに対して上記処理を行うと（Ｓ２−３がＹＥＳ）、当該リストの作成を終了する。
【００３４】
図９は上記処理の概念図であり、同図の左側に示すリスト（前述の図５（ｂ）に示すリストと同じ）に対して絵画フラグに基づくソート処理を行い、図９の右側に示す、例えば水彩ファイル群、油彩ファイル群、色鉛筆ファイル群、パステルファイル群、画風なしファイル群に分けられる。
【００３５】
次に、スライドショーの表示処理を行なう（Ｓ３）。図１０はこの処理を説明するフローチャートであり、前述の図５（ｂ）に示すスライドショーリストに従った表示処理の例を説明するものである。
この場合、先ず画像１としてCIMG0001.jpgの画像データに基づき表示が行なわれる。この場合、スライドショーの最初に表示される上記画像データには絵画フラグは設定されておらず、原画像データに基づく画像表示が行なわれる。
【００３６】
次に、画像２の表示を行なう。この画像２は前述のCIMG0002.jpgの画像データに基づく表示であり、図１０に示す時間間隔Ｔでカラー表示部７への表示画像の作成を行なう。この場合、先ず画像２（CIMG0002.jpgの画像データ）に絵画フラグが設定されているか判断する（ステップ（以下、ＳＴで示す）１）。図５（ｂ）のスライドショーリストに示すように、画像２（CIMG0002.jpgの画像データ）に絵画フラグは設定されておらず（ＳＴ１がＮＯ）、従って原画像で表示を行なうべく、前述の記憶エリア４Ｃに設けられた通常展開バッファに画像２を展開する（ＳＴ２）。尚、この通常展開バッファは、前述のように画風指示が行なわれていない画像データを展開するバッファである。したがって、この場合、絵画処理を行なうことなく設定された時間間隔Ｔ（例えば６秒）で画像２が通常展開バッファ展開され、遅延することなく画像２がカラー表示部７に表示される。
【００３７】
次に、画像３の表示を行なう。この画像３は前述のCIMG0003.jpgの画像データに基づく表示であり、上記と同様、同じ時間間隔Ｔでカラー表示部７に表示を行なう。この場合も、先ず画像３（CIMG0003.jpgの画像データ）に絵画フラグが設定されているか判断する（ＳＴ１）。この場合、画像３（CIMG0003.jpgの画像データ）には絵画フラグが設定されており（ＳＴ１がＹＥＳ）、前述のスライドショーリストから対応する画像フラグを読み出し、画像データの展開先を変更して絵画展開専用バッファに展開する（ＳＴ４）。
【００３８】
図１１は絵画展開専用バッファの構成例を示す図であり、例えば絵画展開専用バッファ「１」は画風が水彩の絵画フラグに対応する画像データの展開バッファであり、絵画展開専用バッファ「２」は画風が油彩の絵画フラグに対応する画像データの展開バッファであり、絵画展開専用バッファ「３」は画風が色鉛筆の絵画フラグに対応する画像データの展開バッファであり、絵画展開専用バッファ「４」は画風がパステルの絵画フラグに対応する画像データの展開バッファである。したがって、上記画像３（CIMG0003.jpgの画像データ）の場合、色鉛筆の絵画フラグが設定されており、絵画展開専用バッファ「３」に色鉛筆の画風に変換された画像データを展開する（ＳＴ５）。絵画展開専用バッファは、上記通常展開バッファよりメモリ容量も大きく、展開処理を高速に処理することができ、時間間隔Ｔの短時間でも支障なく画像データの展開処理を行うことが出来る。
【００３９】
この場合、ＲＯＭ３から色鉛筆の画風画像を作成するためのプログラムが読み出され、原画像３に対して色鉛筆の絵画変換処理が行なわれ、絵画展開専用バッファ「３」に展開される。この絵画展開専用バッファ「３」は色鉛筆の絵画変換処理を行なう為の専用のバッファであり、遅延することなく、設定された時間間隔で画像３が絵画展開専用バッファ「３」に展開され、スライドショーの３番目の画像３がカラー表示部７に表示される。
【００４０】
次に、画像４の表示を行なう。この画像４は前述のCIMG0004.jpgの画像データに基づく表示であり、上記と同様、同じ時間間隔Ｔでカラー表示部７に表示を行なう。この場合も、先ず画像４の画像データに絵画フラグが設定されているか判断する（ＳＴ１）。この場合、画像４（CIMG0004.jpgの画像データ）には絵画フラグが設定されており（ＳＴ１がＹＥＳ）、前述のスライドショーリストから対応する画像フラグを読み出し、画像データの展開先を変更して絵画展開専用バッファに展開する（ＳＴ４）。
【００４１】
画像４の画像データには水彩の絵画フラグが設定されており、この場合図１１に示すように、絵画展開専用バッファ「１」に画像データが展開される。すなわち、ＲＯＭ３から水彩の画風画像を作成するためのプログラムが読み出され、原画像４に対して水彩の絵画変換処理が行なわれ、絵画展開専用バッファ「１」に展開される。この絵画展開専用バッファ「１」は水彩の絵画変換処理を行う為の専用のバッファであり、処理が遅延することなく、設定された時間間隔で処理が行われ、スライドショーの４番目の画像４がカラー表示部７に表示される。
【００４２】
以下、同様に処理が行われ、図５（ｂ）に示す例では、画像５は油彩の絵画フラグを有する画像データであり、ＲＯＭ３から油彩の画風画像を作成するためのプログラムが読み出され、原画像５に対して油彩の絵画変換処理が行なわれ、絵画展開専用バッファ「２」に展開される。また、画像６は色鉛筆の絵画フラグを有する画像データであり、ＲＯＭ３から色鉛筆の画風画像を作成するためのプログラムが読み出され、原画像６に対して色鉛筆の絵画変換処理が行なわれ、絵画展開専用バッファ「３」に展開される。
【００４３】
以上のように、本実施形態においては、記憶エリア４Ｃに画像展開バッファとして、各画風に専用の絵画展開専用バッファ「１」〜「４」を設け、画風毎に専用の絵画展開専用バッファ「１」〜「４」を使用して画像データの展開処理を行うので、一定時間間隔で順次画像を表示するスライドショーにおいても、遅延なく画風の異なる画像の表示を行うことができる。
尚、上記実施形態では、画風毎に専用の絵画調データを展開する専用バッファを設ける構成を説明したが、必ずしもこの構成に限られるものではなく、複数設けられるデータ展開用バッファをそれぞれの画風に対して専用とせず、絵画調データ展開の都度、空いている展開用バッファの何れかを必要に応じて割り当てて利用する構成としても良い。
また、絵画調変換処理を行わない場合に用いる展開バッファ領域も含めて、絵画調データ展開処理に活用する構成とすることも出来る。
また更に、各画風に対して、２区分以上の展開用バッファを用意し、連続して同じ画風に変換する画像データ処理が発生した場合にも、画風毎に複数設けられたバッファ領域を交互に使い分けて、変換処理を行う構成としても良い。
【００４４】
次に、画像印刷選択処理を行なう（Ｓ４）。この処理は、上記スライドショーにおいて、ユーザが印刷を希望する画像を選択する処理であり、印刷が選択された画像に対して用紙サイズに合わせるリサイズ処理が必要であるか判断する（Ｓ５）。そして、リサイズ処理を行った画像データに対して絵画処理を行い（Ｓ６）、絵画処理によって作成された絵画データ及び用紙サイズデータを記憶エリア４Ｄの画像印刷バッファに送信し、対応する用紙サイズの絵画データを展開する。プリンタ部８は上記画像印刷バッファに展開された絵画データの印刷処理を行う（Ｓ７）。
【００４５】
以上のように処理することにより、スライドショーを行なう際、遅延なく順次表示される画像がユーザによって指定された絵画調で表示され、容易に絵画調の表示状態を確認することができる。また、スライドショーにおいて、印刷処理の指示を行なうことによって、当該絵画調の画像データの印刷処理を直ちに行うことができる。
【００４６】
尚、上記実施形態の説明では、画像全体に絵画変換を行なう場合について説明したが、連写機能を使用する場合、画像の任意の一部を絵画調に変換し、スライドショーに表示することもできる。
【００４７】
図１２はこの処理を説明するフローチャートである。先ず、合成連写又は高速連写の開始、中間、終了間で任意の１フレームを合成表示する（ステップ（以下、ＳＴＰで示す）１）。すなわち、合成連写又は高速連写において開始から終了までの間で全ての画像を合成表示する為には時間を要する為、画像変換区間の開始、中間、終了間で任意の１フレームを合成表示する。
【００４８】
次に、絵画調に変更する矩形をペンで設定する（ＳＴＰ２）。その後、スライドショーで変更区間内の矩形枠の絵画調変換の確認を行なう（ＳＴＰ３）。尚、絵画調に変更する矩形枠を変更したい場合には（ＳＴＰ４がＮＯ）、更に処理（ＳＴＰ２）において、変更する矩形をペンで設定する。その後、確認処理を行い（ＳＴＰ３）、変更を要しない場合には矩形選択処理を完了する（ＳＴＰ４がＹＥＳ）。
【００４９】
以上のように処理することにより、画像の一部に絵画調の箇所を含む表示を行い、更に印刷指定を行うことによって一部に絵画調画像を含む印刷物を得ることができる。
尚、上記実施形態の説明では、スライドショーにおける各時間間隔Ｔの間に次の画像データの展開処理を行うように説明したが、例えば次の画像データに絵画フラグが設定されていない場合、更に次の次、又は次の次の次の画像の展開処理を行うように構成してもよい。本例においては、画風毎に専用の絵画展開専用バッファを備えており、上記処理も可能である。このように処理することによって、更に確実に一定時間間隔で順次画像を表示するスライドショーを行うことができる。
【００５０】
本発明はいくつかの実施形態を説明したが、本発明は特許請求の範囲に記載された発明とその均等の範囲に含まれる。以下、本件特許出願の出願当初の特許請求の範囲に記載された発明を付記する。
【００５１】
付記１
第１の画風の絵画調画像への変換指示を含む第１の画像データと、前記第１の画風とは異なる第２の画風の絵画調画像への変換指示を含む第２の画像データとが少なくとも記憶された記憶部と、
前記変換指示に従って、専用の第１の展開バッファを使用して、前記第１の画像データを前記第１の画風の絵画画像に変換し、専用の第２の展開バッファを使用して、前記第２の画像データを前記第２の画風の絵画画像に変換する画像変換処理部と、
前記第１、第２の画風の絵画画像を、表示部に一定時間間隔で順次表示する表示制御部と、
を有することを特徴とする画像表示制御装置。
【００５２】
付記２
前記表示部に一定時間間隔で順次表示される前記絵画画像の印刷指定が行われると、該指定された絵画画像の印刷処理を行うことを特徴とする付記１に記載の画像表示制御装置。
【００５３】
付記３
前記第１の画風の絵画調画像は色鉛筆絵画調画像、又はパステル絵画調画像であり、前記第２の画風の絵画調画像は水彩絵画調画像、又は油絵絵画調画像であることを特徴とする付記１、又は２に記載の画像表示制御装置。
【００５４】
付記４
前記記憶部には前記第１、第２の画風の絵画調画像への変更指示を含まない画像データも記憶され、前記変更指示を含まない画像データは前記専用の第１、第２の展開バッファと異なる展開バッファを使用して展開され、前記第１、第２の画風の絵画画像と共に、前記表示部に一定時間間隔で表示されることを特徴とする付記１、２、又は３に記載の画像表示制御装置。
【００５５】
付記５
前記第１の画像には前記第１の画風の絵画調画像への変換指示が一部に行われており、前記第２の画像には前記第２の画風の絵画調画像への変換指示が一部に行われていることを特徴とする付記１、２、３、又は４に記載の画像表示制御装置。
【００５６】
付記６
第１の画風の絵画調画像への変換指示を含む第１の画像データと、前記第１の画風とは異なる第２の画風の絵画調画像への変換指示を含む第２の画像データとを少なくとも記憶部に記憶する処理と、
前記変換指示に従って、専用の第１の展開バッファを使用して、前記第１の画像データを前記第１の画風の絵画画像に変換し、専用の第２の展開バッファを使用して、前記第２の画像データを前記第２の画風の絵画画像に変換する画像変換処理と、
前記第１、第２の画風の絵画画像を、表示部に一定時間間隔で順次表示する表示処理と、
を行なうことを特徴とする画像表示制御方法。
【符号の説明】
【００５７】
１・・・画像表示制御装置
２・・・ＣＰＵ
３・・・ＲＯＭ
４・・・ＲＡＭ
５・・・キー・ペン入力部
６・・・カードデータ読込部
７・・・カラー表示部
８・・・プリンタ部
【図１】
2014021292.tif 000003
【図２】
2014021292.tif 000004
【図３】
2014021292.tif 000005
【図４】
2014021292.tif 000006
【図７】
2014021292.tif 000007
【図８】
2014021292.tif 000008
【図９】
2014021292.tif 000009
【図１０】
2014021292.tif 000010
【図１１】
2014021292.tif 000011
【図１２】
2014021292.tif 000012
【図５】
2014021292.tif 000013
【図６】
2014021292.tif 000014